(57)【要約】【課題】少ない追加罫線で多くのバリエーションの変形が可能であり、強度の低下も抑えられた段ボール箱の提供を目的とするものである。【解決手段】本考案は、前壁２及び後壁４並びにこれらからそれぞれ延出する外側上フラップ６ａ、６ｂ及び外側下フラップ７ａ、７ｂに縦方向に形成される一対の切込誘導線１１ａ、１１ｂと、四角筒状部の上下に横方向に形成される一対の第一追加横罫線１２ａ、１２ｂとを有し、上記前壁２側の切込誘導線１１ａの右壁３側縦罫線からの距離、及び後壁４側の切込誘導線１１ｂの左壁５側縦罫線からの距離が、フラップの延出方向長さ（ｘ）に略等しく、上記各第一追加横罫線１２ａ、１２ｂの各フラップの先端縁からの距離が、上記延出方向長さ（ｘ）の１．５倍に略等しいことを特徴とする段ボール箱である。【選択図】図１
0003173742.tif 000002
【実用新案登録請求の範囲】
【請求項１】
前壁、右壁、後壁及び左壁がこの順に縦罫線を介して連結してなる四角筒状部と、
上記前壁及び後壁の上端及び下端から、それぞれ横罫線を介して延出する各一対の上側外フラップ及び下側外フラップと、
上記右壁及び左壁の上端及び下端から、それぞれ横罫線を介して延出する各一対の上側内フラップ及び下側内フラップと
を備え、
上記上側及び下側外フラップの延出方向長さが右壁及び左壁の幅の略半分である段ボール箱であって、
上記前壁及び後壁並びにこれらからそれぞれ延出する外側上フラップ及び外側下フラップに縦方向に形成される一対の切込誘導線と、
上記四角筒状部の上下に横方向に形成される一対の第一追加横罫線と
を有し、
上記前壁側の切込誘導線の右壁側縦罫線からの距離、及び後壁側の切込誘導線の左壁側縦罫線からの距離が、上記延出方向長さに略等しく、
上記各第一追加横罫線の各フラップの先端縁からの距離が、上記延出方向長さの１．５倍に略等しいことを特徴とする段ボール箱。
【請求項２】
表ライナ、波状の中芯及び裏ライナから構成される一枚の段ボールシートからなり、上記四角筒状部の高さ方向が上記中芯の尾根方向となるように形成される請求項１に記載の段ボール箱。
【請求項３】
上記四角筒状部に横方向に形成される第二追加横罫線をさらに有し、
上記第二追加横罫線の上側フラップの先端縁からの距離が、上記延出方向長さの２倍に略等しい請求項１又は請求項２に記載の段ボール箱。
【請求項４】
上記切込誘導線が印刷による着色線からなる請求項１、請求項２又は請求項３に記載の段ボール箱。
【請求項５】
上記切込誘導線及び／又は縦罫線の少なくとも一部がミシン目線からなる請求項１、請求項２又は請求項３に記載の段ボール箱。
【考案の詳細な説明】
【技術分野】
【０００１】
本考案は、段ボール箱に関するものである。
【背景技術】
【０００２】
段ボール箱は、商品の輸送から陳列までの間、複数の商品をまとめて収容する容器等として広く用いられている。通常、段ボール箱は、幅、奥行き及び高さが決まっており、収容物を入れた際に空間ができた場合は、緩衝材によりその空間を埋める必要が生じる。逆に、このような空間の発生を無くすためには、様々な形状及びサイズを有する段ボール箱が必要となる。
【０００３】
そこで、段ボール箱に複数の折り目とミシン目を設け、形状を変化させることができる段ボール箱が考案されている（実用新案登録第３１２０４３５号公報参照）。この段ボール箱は、基本形状に対する変形パターン毎に一対の縦罫線及び一対の横罫線が追加された構成となっている。すなわち、３パターンの形状に変形可能とする場合は、二対の縦罫線及び二対の横罫線を追加して設けることとなり、さらに多くのパターンに変形させる場合は、より多くの縦罫線及び横罫線を設けなければならない。しかし、このように多くの罫線を設けると、加工が複雑化し、また、強度が低下するという不都合を有する。さらに、上記段ボール箱においては、追加して設けられた複数の縦罫線の一部にミシン目が設けられているため、強度がより低下するという不都合を有する。
【先行技術文献】
【特許文献】
【０００４】
【特許文献１】実用新案登録第３１２０４３５号公報
【考案の概要】
【考案が解決しようとする課題】
【０００５】
本考案はこれらの事情に鑑みてなされたものであり、少ない追加罫線で多くのバリエーションの変形が可能であり、強度の低下も抑えられた段ボール箱の提供を目的とするものである。
【課題を解決するための手段】
【０００６】
上記課題を解決するためになされた考案は、
前壁、右壁、後壁及び左壁がこの順に縦罫線を介して連結してなる四角筒状部と、
上記前壁及び後壁の上端及び下端から、それぞれ横罫線を介して延出する各一対の上側外フラップ及び下側外フラップと、
上記右壁及び左壁の上端及び下端から、それぞれ横罫線を介して延出する各一対の上側内フラップ及び下側内フラップと
を備え、
上記上側及び下側外フラップの延出方向長さ（ｘ）が右壁及び左壁の幅の略半分である段ボール箱であって、
上記前壁及び後壁並びにこれらからそれぞれ延出する外側上フラップ及び外側下フラップに縦方向に形成される一対の切込誘導線と、
上記四角筒状部の上下に横方向に形成される一対の第一追加横罫線と
を有し、
上記前壁側の切込誘導線の右壁側縦罫線からの距離、及び後壁側の切込誘導線の左壁側縦罫線からの距離が、上記延出方向長さ（ｘ）に略等しく、
上記各第一追加横罫線の各フラップの先端縁からの距離が、上記延出方向長さ（ｘ）の１．５倍に略等しいことを特徴とする。
【０００７】
当該段ボール箱は、一対の切込誘導線及び第一追加横罫線を特定の位置に有しているため、これらの線に沿って折り曲げることで様々な形状に組み立てることができる。また、当該段ボール箱は、上記一対の切込誘導線に切込や罫線加工を設けることを必須とせず、形状のバリエーションに応じて切込誘導線上の必要な部分のみに切込を入れることで組み立てることができるため、強度の低下を抑えることができる。
【０００８】
当該段ボール箱が、表ライナ、波状の中芯及び裏ライナから構成される一枚の段ボールシートからなり、上記四角筒状部の高さ方向が上記中芯の尾根方向となるように形成されることが好ましい。このように四角筒状部の高さ方向を中芯の尾根方向となるように形成することで、罫線加工等を施さなくとも縦方向に設けられた切込誘導線に沿って折り曲げやすくなり、様々な形状への組み立てが容易となる。
【０００９】
当該段ボール箱が、上記四角筒状部の横方向に形成される第二追加横罫線をさらに有し、上記第二追加横罫線の上側フラップの先端縁からの距離が、上記延出方向長さ（ｘ）の２倍に略等しいことが好ましい。このように第二追加横罫線を設けることで、当該段ボール箱の形状のバリエーションをさらに増やすことができる。
【００１０】
上記切込誘導線が印刷による着色線からなることが好ましい。このように切込誘導線を印刷による着色線とすることで、強度の低下を抑えることができる。
【００１１】
上記切込誘導線及び／又は縦罫線の少なくとも一部がミシン目線からなることも好ましい。このようにミシン目線とすることで、切込誘導線等に沿った切込の形成が容易になり、組み立ての容易性が高まる。
【考案の効果】
【００１２】
以上説明したように本考案の段ボール箱は、少ない追加罫線で多くのバリエーションの変形が可能であり、強度の低下も抑えられている。
【図面の簡単な説明】
【００１３】
【図１】本考案の一実施形態に係る段ボール箱を示す展開図である。
【図２】図１の段ボール箱の第一形状を示す斜視図である。
【図３】図１の段ボール箱の第二形状を示す展開図（ａ）及び斜視図（ｂ）である。
【図４】図１の段ボール箱の第三形状を示す展開図（ａ）及び斜視図（ｂ）である。
【図５】図１の段ボール箱の第四形状を示す展開図（ａ）及び斜視図（ｂ）である。
【図６】図１の段ボール箱の第五形状を示す展開図（ａ）及び斜視図（ｂ）である。
【図７】図１の段ボール箱の第六形状を示す展開図（ａ）及び斜視図（ｂ）である。
【考案を実施するための形態】
【００１４】
以下、適宜図面を参照しつつ、本考案の段ボール箱の実施の形態を詳説する。
【００１５】
図１の段ボール箱１は、前壁２、右壁３、後壁４及び左壁５がこの順に縦罫線を介して連結してなる四角筒状部と、上記前壁２及び後壁４の上端及び下端から、それぞれ横罫線１４（１４ａ及び１４ｂ）を介して延出する一対の上側外フラップ６（６ａ及び６ｂ）及び下側外フラップ７（７ａ及び７ｂ）と、上記右壁３及び左壁５の上端及び下端から、それぞれ横罫線１４（１４ａ及び１４ｂ）を介して延出する一対の上側内フラップ８（８ａ及び８ｂ）及び下側内フラップ９（９ａ及び９ｂ）とを備える
なお、各罫線（縦罫線及び横罫線）は、折り曲げが容易になるように罫線加工が施されている。
【００１６】
この段ボール箱１は、封緘状態で直方体形状に形成され、均一な厚さの一枚の段ボールシートを用いて形成される。当該段ボール箱１のサイズとしては特に限定されず、内容物である商品の大きさ等を考慮して適宜設定される。
【００１７】
段ボール箱１を形成する段ボールシートとしては、強度の高さ及び加工成形の容易さの観点から、波状に形成された中芯の表面側に積層される表ライナ及び裏面側に積層される裏ライナを備える両面段ボールが用いられる。この際、縦方向の圧力に対して特に高い強度を有するように、中芯の波の尾根方向が四角筒状部（前壁２、右壁３、後壁４及び左壁５）の高さ方向となるように設計されている。
【００１８】
前壁２及び後壁４は、同型及び同サイズの矩形形状を有している。右壁３及び左壁５も同型及び同サイズの矩形形状を有している。また、前壁２、右壁３、後壁４及び左壁５は等しい高さに形成されており、これらによって、直方体形状を有する四角筒状部が形成される。これらの高さは、各フラップの延出方向長さ（ｘ）の１．５倍より大きい長さとなっている。
【００１９】
当該段ボール箱１は、上記前壁２の側縁のうち右壁３と接していない側の側縁に糊代部１０を備えている。当該段ボール箱１は、この糊代部１０を有することで、四角筒状部を形成する際に、この糊代部１０を左壁５の側縁と前壁２の側縁が接するように左壁５の内面に接着させることにより、四角筒状部を筒状に固定することができる。
【００２０】
２つの上側外フラップ６（６ａ及び６ｂ）は、同型及び同サイズの矩形形状を有する。この上側外フラップ６は、組み立てた際の外側の蓋となる。そのため、上側外フラップ６の延出方向長さ（ｘ）は、右壁３及び左壁５の幅（２ｘ）の略半分となっている。
【００２１】
２つの下側外フラップ７（７ａ及び７ｂ）は、同型及び同サイズの矩形形状を有する。この下側外フラップ７は、組み立てた際の外側の底板となる。そのため、下側外フラップ７の延出方向長さ（ｘ）も、右壁３及び左壁５の幅（２ｘ）の略半分となっている。
【００２２】
２つの上側内フラップ８（８ａ及び８ｂ）は、同型及び同サイズの矩形形状を有する。上側内フラップ８の延出方向長さは、上側外フラップ６の延出方向長さ（ｘ）と等しくなっている。
【００２３】
２つの下側内フラップ９（９ａ及び９ｂ）は、同型及び同サイズの矩形形状を有する。下側内フラップ９の延出方向長さは、下側外フラップ７の延出方向長さ（ｘ）と等しくなっている。
【００２４】
これらの全フラップ（上側外フラップ６、下側外フラップ７、上側内フラップ８及び下側内フラップ９）の延出方向長さ（ｘ）は等しい。従って、各壁（前壁、後壁、右壁及び左壁）の上端及び下端から延出する上側フラップと下側フラップとは同型及び同サイズとなっている。
【００２５】
当該段ボール箱１は、前壁２及び後壁４並びにこれらからそれぞれ延出する外側上フラップ６（６ａ及び６ｂ）及び外側下フラップ７（７ａ及び７ｂ）に縦方向に形成される一対の切込誘導線１１（１１ａ及び１１ｂ）を有する。すなわち、一の切込誘導線１１ａは、上側外フラップ６ａの先端縁から前壁２を介して下側外フラップ７ａの先端縁まで、一直線に形成されている。また、他の切込誘導線１１ｂは、上側外フラップ６ｂの先端縁から後壁４を介して下側外フラップ７ｂの先端縁まで、一直線に形成されている。
【００２６】
上記前壁２側の切込誘導線１１ａの右壁３側縦罫線からの距離、及び後壁４側の切込誘導線１１ｂの左壁５側の縦罫線からの距離は、共に上記各フラップの延出方向長さ（ｘ）に略等しい。
【００２７】
なお、この切込誘導線１１は、ミシン目線などの弱化線ではなく、単なる印刷による着色線からなる。このように縦方向に切り込み等を増やすことなく、切込誘導線１１を印刷による着色線とすることで、縦方向の強度の低下を抑えることができる。
【００２８】
当該段ボール箱１は、上記四角筒状部（前壁２、右壁３、後壁４及び左壁５）の上下に横方向に形成される一対の第一追加横罫線１２（１２ａ及び１２ｂ）を有する。
【００２９】
上記各第一追加横罫線１２の各フラップの先端縁からの距離（例えば、第一追加横罫線１２ａの外側上フラップ６の先端縁からの距離）は、上記延出方向長さ（ｘ）の１．５倍に略等しい。また、各第一追加横罫線１２は、容易に折り曲げ可能なように、罫線加工が施されている。
【００３０】
当該段ボール箱１は、上記四角筒状部（前壁２、右壁３、後壁４及び左壁５）に横方向に形成される第二追加横罫線１３をさらに有する。
【００３１】
上記第二追加横罫線１３の上側フラップ（上側外フラップ６及び上側内フラップ８）の先端縁からの距離は、上記延出方向長さ（ｘ）の２倍に略等しい。第二追加横罫線１３は、内側への容易に折り曲げ可能なように、罫線加工が施されている。
【００３２】
次に、当該段ボール箱１の使い方（組み立て方）について説明する。当該段ボール箱１は、以下に説明するように、第一から第六の６つの形状に組み立てることができる。
【００３３】
（第一形状：基本形状）
当該段ボール箱１は、基本形状として、前壁２、右壁３、後壁４及び左壁５からなる四角筒状部を形成した後、下側内フラップ９を四角筒状部の内側に直角に折り込み、続けて下側外フラップ７を四角筒状部の内側に直角に折り込むことで底を完成させることができる。この際、下側外フラップ７の先端縁同士が突き合わされ、例えばこの突き合わせ部分に粘着テープを貼着させることにより段ボール箱１の底が固定される。次に、上側内フラップ８を四角筒状部の内側に直角に折り込み、続けて、上側外フラップ６を四角筒状部の内側に直角に折り込むことで蓋を形成することができる。
【００３４】
（第二形状）
第二形状に組み立てる場合、図３（ａ）に鎖線で示すように、切込誘導線１１（１１ａ及び１１ｂ）における横罫線１４ａより上部分及び横罫線１４ｂより下部分の両端を切り込む。なお、この切り込みは、カッターナイフ等を用いて行えばよい。このように切り込むことで、図３（ｂ）に示すように、高さが基本形状と等しく、幅が基本形状の半分（ｘ）である第二形状の形に組み立てることができる。この際、フラップの延出方向長さがｘであり、第二形状の段ボール箱の幅と一致する。
【００３５】
（第三形状）
第三形状に組み立てる場合、図４（ａ）に鎖線で示すように、切込誘導線１１（１１ａ及び１１ｂ）並びに前壁２及び後壁４のそれぞれ左側となる縦罫線（１５ａ及び１５ｃ）における第一追加横罫線１２ａより上部分及び第一追加横罫線１２ｂより下部分の両端を切り込む。このように切り込むことで、図４（ｂ）に示すように、高さが基本形状より低く、一辺が３ｘとなる第三形状の形に組み立てることができる。この際、第一追加横罫線のフラップの先端縁からの距離が１．５ｘであるため、変形した外フラップの先端同士が丁度接しあう形状となっている。
【００３６】
（第四形状）
第四形状に組み立てる場合、図５（ａ）に鎖線で示すように、縦罫線（１５ａ、１５ｂ、１５ｃ及び１５ｄ）における第一追加横罫線１２ａより上部分を切り込む。このように切り込むことで、図５（ｂ）に示すように、高さが基本形状よりやや低い第四形状の形に組み立てることができる。
【００３７】
（第五形状）
第五形状に組み立てる場合、図６（ａ）に鎖線で示すように、縦罫線（１５ａ、１５ｂ、１５ｃ及び１５ｄ）における第二追加横罫線１３より上部分を切り込む。このように切り込むことで、図６（ｂ）に示すように、高さが第四形状よりさらに低い第五形状の形に組み立てることができる。この際、第二追加罫線１３の上側フラップの先端縁からの距離が２ｘであるため、変形した外フラップが一枚で丁度蓋を形成することができる。
【００３８】
（第六形状）
第六形状に組み立てる場合、図７（ａ）に鎖線で示すように、切込誘導線１１（１１ａ及び１１ｂ）並びに前壁２及び後壁４のそれぞれ左側となる縦罫線（１５ａ及び１５ｃ）における第二追加横罫線１３より上部分、及び下側の第一追加罫線１２ｂより下部分の両端を切り込む。このように切り込むことで、図７（ｂ）に示すように、一辺が第三形状と同様に３ｘとなり、高さが第三形状よりさらに低い第六形状の形に組み立てることができる。
【００３９】
このように、当該段ボール箱１によれば、少ない追加罫線で多くのバリエーションの変形が可能であり、強度の低下も抑えられている。四角筒状部の高さ方向を中芯の尾根方向となるように形成されていることで、罫線加工等を施さなくとも縦方向に設けられた切込誘導線に沿って折り曲げやすくなり、様々な形状への組み立てが容易となる。
【００４０】
なお、当該段ボール箱１における切込誘導線、第一追加横罫線及び第二追加横罫線の位置（第一追加横罫線のフラップの先端縁からの距離等）は厳密である必要はなく、段ボールシートの厚み等を考慮して、調整することができる。
【００４１】
本考案の段ボール箱は上記実施形態に限定されない。例えば、第二追加横罫線は有していなくてもよい。第二追加罫線を有していなくても、第一から第四の四パターンの変形が可能である。
【００４２】
また、当該段ボール箱においては、上記切込誘導線及び／又は縦罫線の少なくとも一部がミシン目線からなることも好ましい。このようにミシン目線とすることで、切込誘導線等に沿った切込の形成が容易になり、組み立ての容易性が高まる。ミシン目線とする位置は、例えば図３（ａ）〜図７（ａ）の鎖線部分等とすることができる。
【産業上の利用可能性】
【００４３】
以上のように、本考案の段ボール箱は少ない追加罫線で多くのバリエーションの変形が可能であり、各種商品等を梱包する梱包容器等として好適に用いることができる。
【符号の説明】
【００４４】
１  段ボール箱
２  前壁
２  右壁
４  後壁
５  左壁
６、６ａ、６ｂ  上側外フラップ
７、７ａ、７ｂ  下側外フラップ
８、８ａ、８ｂ  上側内フラップ
９、９ａ、９ｂ  下側内フラップ
１０  糊代部
１１、１１ａ、１１ｂ  切込誘導線
１２、１２ａ、１２ｂ  第一追加横罫線
１３  第二追加横罫線
１４、１４ａ、１４ｂ  横罫線
１５ａ、１５ｂ、１５ｃ、１５ｄ  縦罫線
【図１】
0003173742.tif 000003
【図２】
0003173742.tif 000004
【図３】
0003173742.tif 000005
【図４】
0003173742.tif 000006
【図５】
0003173742.tif 000007
【図６】
0003173742.tif 000008
【図７】
0003173742.tif 000009